(57)【要約】【課題】スキャナ装置において、スキャナリッドの開閉時のがたつき量を少なくし、スキャナリッドの操作感触を良好にする。【解決手段】スキャナリッド（以下、リッドと称する）１１は、スキャナ装置の筐体１０の上面を覆うように、ヒンジ部材２０を介して筐体１０に回動自在且つ上下に変位可能に装着されている。ヒンジ部材２０は、リッド１１の保持溝部１１ｂに挟まれるように回動自在に装着され、筐体１０の嵌入孔１０ａに上下方向に摺動可能に緩嵌されている。保持溝部１１ｂの内面のうち片側の内側面には、リッド１１が開状態のときヒンジ部材２０に当接する突起部１１ｄが形成されている。リッド１１の開閉時には、突起部１１ｄがヒンジ部材２０に当接し、ヒンジ部材２０が保持溝部のうち突起部１１ｄが形成されていない方の内側面に保持されるので、ヒンジ部材２０とリッド１１との間の遊びが小さくなる。【選択図】図６
2008099161.tif 000002
【特許請求の範囲】
【請求項１】
筐体と、
前記筐体上部に配置され、前記筐体上面の略矩形形状の原稿台上に載置された原稿を画像データとして読み取る機能を有するスキャナ部と、
前記スキャナ部の下方に配置され、前記スキャナ部により読み取られた原稿の画像データ又は外部装置から入力された画像データに基づいて記録紙に画像を形成する機能を有する画像形成部とを備え、
前記スキャナ部は、
前記原稿台を覆うように配置され、原稿を前記原稿台との間で挟むことによりその原稿を前記原稿台に密着させるスキャナリッドと、
略棒形状に形成され、その一端の近傍部位に突設され前記スキャナリッドを軸支する回動軸を有するヒンジ部材とを有しており、
前記筐体の後端両側部近傍部位それぞれには、前記ヒンジ部材が、その他端部側から緩嵌される嵌入孔が形成されており、
前記スキャナリッドの後端両側部近傍部位それぞれには、前記ヒンジ部材のうち前記回動軸近傍部位の幅寸法より大きい幅寸法を有する保持溝部が形成されており、
前記ヒンジ部材は、前記各保持溝部に前記回動軸が保持され、前記回動軸近傍部位が前記保持溝部に当該ヒンジ部材の長手方向に沿って挟まれるようにして配置され、且つ、前記各嵌入孔にそのヒンジ部材の他端側から嵌入されて上下方向に摺動自在に配置され、それにより、前記スキャナリッドが前記筐体に対し回動自在且つ上下に変位可能に装着されている画像形成装置において、
前記保持溝部の内面のうち、前記筐体の中央側又は側方側の側面の前記回動軸に軸支される部位の近傍部位に、前記スキャナリッドが前記原稿台を露出させる開状態となるときに前記ヒンジ部材に当接する突起部が設けられており、
前記スキャナリッドが回動し開状態になるとき、前記各ヒンジ部材に前記突起部が当接して、前記各ヒンジ部材が共に前記筐体の側方側又は中央側で保持されることにより、前記スキャナリッドの前記筐体に対するがたつき量が前記スキャナリッドが閉状態の時と比較して減少するように構成されていることを特徴とする画像形成装置。
【請求項２】
筐体と、
前記筐体上面の原稿台と、
前記原稿台を覆うように配置され、原稿を前記原稿台との間で挟むことによりその原稿を前記原稿台に密着させるスキャナリッドと、
略棒形状に形成され、前記スキャナリッドに回動自在に装着されたヒンジ部材とを有しており、
前記筐体には、前記ヒンジ部材が緩嵌される嵌入孔が形成されており、
前記スキャナリッドのうち前記ヒンジ部材が装着される部位には、前記ヒンジ部材の幅寸法より大きい幅寸法を有する保持溝部が形成されており、
前記ヒンジ部材は、前記保持溝部内に当該ヒンジ部材の長手方向に沿って挟まれるようにして装着され、且つ、前記嵌入孔に嵌入されて上下方向に摺動自在に配置され、それにより、前記スキャナリッドが前記筐体に対し回動自在且つ上下に変位可能に装着されている画像形成装置において、
前記保持溝部の内側面の一方に、前記スキャナリッドが前記原稿台を露出させる開状態となるときに前記ヒンジ部材に当接する突起部が設けられており、
前記スキャナリッドが回動し開状態になるとき、前記ヒンジ部材に前記突起部が当接し、前記ヒンジ部材が前記保持溝部のうち前記突起部が設けられていない方の内側面側で保持されるように構成されていることを特徴とするスキャナ装置。
【請求項３】
前記嵌入孔及び前記ヒンジ部材を２組有し、各ヒンジ部材は、前記スキャナリッドの２箇所に形成された保持溝部にそれぞれ装着されており、
前記突起部は、前記各保持溝部の内面のうち、当該保持溝部とは別の保持溝部に近い方の内側面又は当該保持溝部とは別の保持溝部から遠い方の内側面に設けられており、
前記スキャナリッドが回動し開状態になるとき、前記各ヒンジ部材が、前記各突起部に当接することにより、当該ヒンジ部材とは別のヒンジ部材から離れた状態又は当該ヒンジ部材とは別のヒンジ部材に近づいた状態で保持されるように構成されていることを特徴とする請求項２に記載のスキャナ装置。
【発明の詳細な説明】
【技術分野】
【０００１】
本発明は、原稿台上に載置された原稿を画像データとして読み取る機能を有するスキャナ装置と、それを用いた画像形成装置に関する。
【背景技術】
【０００２】
従来より、例えばＣＩＳ（Contact Image Sensor）等のスキャンユニットにより、原稿台上に載置された原稿を画像データとして読み取るスキャナ装置が使用されている。このようなスキャナ装置は、例えば記録紙に画像を形成する画像形成部と一体に構成され、画像形成装置として用いられたり、外部のパーソナルコンピュータ等に接続されて用いられる。一般に、このようなスキャナ装置において、原稿は、原稿台上の所定の位置に載置され、例えば筐体の上面に回動自在に配置された板状のスキャナリッドにより原稿台に押さえつけられ、原稿台上で移動しないようにして読み取られる。スキャナリッドは、例えば、スキャナリッドに回動自在に軸支された棒形状のヒンジ部材を、筐体に形成された嵌入孔に嵌入させて上下方向に摺動可能に配置することにより、筐体に対し回動自在且つ上下に変位可能に配置される。これにより、例えば書籍等、厚みが大きい原稿を原稿台上に載置したときにも、その原稿をスキャナリッドにより原稿台に押さえつけることができるように構成されている。
【０００３】
ところで、上述のようなスキャナ装置において、ヒンジ部材は、スキャナリッドに対し、スキャナリッドの回動軸方向に若干量スライド可能に、いわゆる遊びを有するように装着されている。また、ヒンジ部材は、嵌入孔に対し緩嵌されるように構成されている。これにより、スキャナリッドが原稿を押さえつける閉状態で筐体に対し上下変位可能になり、種々の厚みの原稿に確実に対応可能になるように構成されている。しかしながら、このように、ヒンジ部材が、スキャナリッド及び筐体に対して遊びを有するように構成されているので、ユーザの操作により、スキャナリッドを筐体に対して回動させて開状態にし、原稿台を外部に露出させるとき等には、スキャナリッドが筐体に対し大きくがたついてしまうという問題があった。スキャナリッドのがたつき量が多いと、操作時にスキャナリッドの操作感触が悪くなり、スキャナ装置の商品価値が損なわれる。これを防止するためには、スキャナリッドのがたつき量を減少させなければならず、各部品間で遊びが小さくなるように、且つ、確実にスキャナリッドを回動且つ上下変位可能に構成しなければならない。このように構成するには、各部品の製造時の寸法精度を向上させなければならならず、製造コストが大幅に増加してしまう。そのため、製造コストが増加しないようにスキャナリッドの操作時のがたつき量を減少させ、操作感触を改善させることが望まれている。
【０００４】
ここで、特許文献１には、画像読取装置において、ヒンジ部材が嵌め込まれるヒンジ受け部の内壁にヒンジ部材に向け、上下方向に所定距離をおいて互いに対向する２つの突出部を設けた構造が記載されている。この画像読取装置では、突出部を設けることにより、スキャナリッドが重い場合でもスキャナリッドの上下方向の摺動性が良好になるように構成されている。特許文献２には、プラテンカバーの開閉検知に用いられる突起をガイドするために、カバー側にテーパ状のリブが設けられ、突起が確実にガイドされるように構成されたファクシミリ装置が示されている。この装置では、プラテンカバーの開閉動作時に、カバーが傾いた状態になっても、突起が確実に開閉センサへガイドされるように構成されている。特許文献３には、スキャナリッドに装着されたヒンジ部材の支持脚を筐体の軸穴に挿し込むことにより、スキャナリッドを筐体上に開閉かつ上下動可能に支持させた画像読取装置が示されている。この画像読取装置は、支持脚の端部に引っ掛け部を設け、軸穴の開口部に支持脚の引っ掛け部が突き当たるようなストッパ部を設けることにより、支持脚が軸穴から抜けないように構成されている。しかしながら、これらの特許文献１乃至特許文献３には、上記のようなスキャナリッドのがたつきに関する問題に対して有効な解決策は記載されていない。
【特許文献１】特開２００２‐２４４２３３号公報
【特許文献２】特開２００１‐３４３７１５号公報
【特許文献３】特開２０００‐２３１１６３号公報
【発明の開示】
【発明が解決しようとする課題】
【０００５】
本発明は、上記問題点を鑑みてなされたものであり、スキャナリッドの開閉時のがたつき量が少なく、スキャナリッドの操作感触が良好な、安価な構成のスキャナ装置を提供することを目的とする。
【課題を解決するための手段】
【０００６】
上記目的を達成するため、請求項１の発明は、筐体と、前記筐体上部に配置され、前記筐体上面の略矩形形状の原稿台上に載置された原稿を画像データとして読み取る機能を有するスキャナ部と、前記スキャナ部の下方に配置され、前記スキャナ部により読み取られた原稿の画像データ又は外部装置から入力された画像データに基づいて記録紙に画像を形成する機能を有する画像形成部とを備え、前記スキャナ部は、前記原稿台を覆うように配置され、原稿を前記原稿台との間で挟むことによりその原稿を前記原稿台に密着させるスキャナリッドと、略棒形状に形成され、その一端の近傍部位に突設され前記スキャナリッドを軸支する回動軸を有するヒンジ部材とを有しており、前記筐体の後端両側部近傍部位それぞれには、前記ヒンジ部材が、その他端部側から緩嵌される嵌入孔が形成されており、前記スキャナリッドの後端両側部近傍部位それぞれには、前記ヒンジ部材のうち前記回動軸近傍部位の幅寸法より大きい幅寸法を有する保持溝部が形成されており、前記ヒンジ部材は、前記各保持溝部に前記回動軸が保持され、前記回動軸近傍部位が前記保持溝部に当該ヒンジ部材の長手方向に沿って挟まれるようにして配置され、且つ、前記各嵌入孔にそのヒンジ部材の他端側から嵌入されて上下方向に摺動自在に配置され、それにより、前記スキャナリッドが前記筐体に対し回動自在且つ上下に変位可能に装着されている画像形成装置において、前記保持溝部の内面のうち、前記筐体の中央側又は側方側の側面の前記回動軸に軸支される部位の近傍部位に、前記スキャナリッドが前記原稿台を露出させる開状態となるときに前記ヒンジ部材に当接する突起部が設けられており、前記スキャナリッドが回動し開状態になるとき、前記各ヒンジ部材に前記突起部が当接して、前記各ヒンジ部材が共に前記筐体の側方側又は中央側で保持されることにより、前記スキャナリッドの前記筐体に対するがたつき量が前記スキャナリッドが閉状態の時と比較して減少するように構成されているものである。
【０００７】
請求項２の発明は、筐体と、前記筐体上面の原稿台と、前記原稿台を覆うように配置され、原稿を前記原稿台との間で挟むことによりその原稿を前記原稿台に密着させるスキャナリッドと、略棒形状に形成され、前記スキャナリッドに回動自在に装着されたヒンジ部材とを有しており、前記筐体には、前記ヒンジ部材が緩嵌される嵌入孔が形成されており、前記スキャナリッドのうち前記ヒンジ部材が装着される部位には、前記ヒンジ部材の幅寸法より大きい幅寸法を有する保持溝部が形成されており、前記ヒンジ部材は、前記保持溝部内に当該ヒンジ部材の長手方向に沿って挟まれるようにして装着され、且つ、前記嵌入孔に嵌入されて上下方向に摺動自在に配置され、それにより、前記スキャナリッドが前記筐体に対し回動自在且つ上下に変位可能に装着されている画像形成装置において、前記保持溝部の内側面の一方に、前記スキャナリッドが前記原稿台を露出させる開状態となるときに前記ヒンジ部材に当接する突起部が設けられており、前記スキャナリッドが回動し開状態になるとき、前記ヒンジ部材に前記突起部が当接し、前記ヒンジ部材が前記保持溝部のうち前記突起部が設けられていない方の内側面側で保持されるように構成されているものである。
【０００８】
請求項３の発明は、請求項２の発明において、前記嵌入孔及び前記ヒンジ部材を２組有し、各ヒンジ部材は、前記スキャナリッドの２箇所に形成された保持溝部にそれぞれ装着されており、前記突起部は、前記各保持溝部の内面のうち、当該保持溝部とは別の保持溝部に近い方の内側面又は当該保持溝部とは別の保持溝部から遠い方の内側面に設けられており、前記スキャナリッドが回動し開状態になるとき、前記各ヒンジ部材が、前記各突起部に当接することにより、当該ヒンジ部材とは別のヒンジ部材から離れた状態又は当該ヒンジ部材とは別のヒンジ部材に近づいた状態で保持されるように構成されているものである。
【発明の効果】
【０００９】
請求項１の発明によれば、スキャナリッドの開閉時に、ヒンジ部材が突起部に当接し、保持溝部のうち突起部が設けられていない方の内側面側で保持されるので、ヒンジ部材とスキャナリッドとの間のがたつきが小さくなる。また、２つのヒンジ部材が、共に筐体の側方側又は中央側で保持されるので、２つのヒンジ部材と筐体との間のがたつきも小さくなる。従って、保持溝部に突起部を設けた、構造が簡単で製造コストが安価な構成により、スキャナリッドの筐体に対するがたつき量をスキャナリッドが閉状態の時よりも減少させることができ、スキャナリッドの操作感触を良好にし、画像形成装置の商品価値を向上させることができる。
【００１０】
請求項２の発明によれば、スキャナリッドの開閉時に、ヒンジ部材が、突起部に当接することにより、保持溝部のうち突起部が設けられていない方の内側面側で保持されるので、ヒンジ部材とスキャナリッドとの間のがたつきが小さくなり、スキャナリッドの筐体に対するがたつき量をスキャナリッドが閉状態の時よりも減少させることができる。従って、保持溝部に突起部を設けた、構造が簡単で製造コストが安価な構成により、スキャナリッドの操作感触を良好にし、スキャナ装置の商品価値を向上させることができる。
【００１１】
請求項３の発明によれば、スキャナリッドの開閉時に、２つのヒンジ部材それぞれが、突起部に当接することにより、他方のヒンジ部材から離れた状態又は他方のヒンジ部材に近づいた状態で保持されるので、各ヒンジ部材とスキャナリッドとの間のがたつきが小さくなると共に、２つのヒンジ部材と筐体との間のがたつきも小さくなる。従って、スキャナリッドの筐体に対するがたつき量をより減少させることができ、スキャナリッドの操作感触をさらに良好にすることができる。
【発明を実施するための最良の形態】
【００１２】
以下、本発明の一実施形態について図面を参照しつつ説明する。図１は、本実施形態に係る画像形成装置の一例を示す。画像形成装置１は、いわゆるオールインワン型のものであり、樹脂製の筐体１０の下部に配置され、例えばインクジェット方式により記録紙に画像を形成する画像形成部２と、筐体１０の上部に配置され、原稿を画像データとして読み取る機能を有するスキャナ部３と、ユーザにより操作されるように配置され、画像形成装置１を操作するために用いられる操作ボタン４と、例えば外部のパーソナルコンピュータ等が接続される接続コネクタ（図示せず）等により構成されている。筐体１０の背面側には、画像形成部２に搬送される記録紙がセットされる給紙トレイ１５が設けられており、筐体１０の前面側には、画像形成部２により画像が形成された記録紙が排出される排紙トレイ１６が設けられている。この画像形成装置１は、例えば、スキャナ部３が原稿を読み取って生成された画像データや、外部のパーソナルコンピュータ等から送られた画像データ等に基づいて、記録紙に画像を形成する機能を有している。なお、画像形成部２は、例えば電子写真方式により記録紙に画像を形成するようなものであってもよい。また、画像形成装置１は、例えば、動作状態等を表示する液晶表示部や、例えばデジタルスチルカメラ等の外部機器が接続されるコネクタ部等を有していてもよい。
【００１３】
図２は、スキャナ部３を示す。スキャナ部３は、筐体１０の上面に配置された略矩形形状の原稿台３ａを有している。スキャナ部３の内部には、例えば、この原稿台３ａの内面に当接するように配置されたＣＩＳ（Contact Image Sensor）等のスキャンユニットと、このスキャンユニットを駆動するための駆動機構等（図示せず）が収納されている。スキャナ部３は、原稿台３ａ上に載置された原稿をスキャンユニットを用いて撮像することにより、その原稿を画像データとして読み取るように構成されている。
【００１４】
筐体１０の原稿台３ａの上方には、スキャナリッド（以下、リッドと称する）１１が配置されている。リッド１１は、原稿台３ａを覆うように、筐体１０に対し後述するように回動可能に設けられている。このリッド１１の下面の原稿台３ａに対応する位置には、例えばスポンジ等を用いたパッド１１ａが取り付けられており、原稿台３ａに載置された原稿を原稿台３ａとパッド１１ａとの間で挟むことにより、その原稿を原稿台３ａに密着させて原稿台３ａ上で原稿が動かないように保持するように構成されている。図３は、スキャナリッド１１を回動させた状態を示す。本実施形態においては、ユーザが、リッド１１の前端部近傍を上下方向に変位させることにより、リッド１１を図３の矢印Ｒに示すように筐体１０に対して回動させ、リッド１１を、図１に示すような、原稿台３ａに原稿を密着させることができる閉状態から、図２に示すような、原稿台３ａを外部に露出させる開状態にすることができるように構成されている。
【００１５】
以下に、リッド１１の筐体１０への取り付け構造について、図４及び図５を参照しつつ説明する。本実施形態において、リッド１１は、筐体１０の上面の原稿台３ａよりも後方の部位に、原稿台３ａの左右両側部近傍部位の２箇所に配置された略棒形状のヒンジ部材２０を介して、筐体１０に取り付けられている。ヒンジ部材２０の一端部近傍部位には、図４に示すように、ヒンジ部材２０の長手方向（上下方向）に略直交するように略水平に外向きに突設された一対の回動軸２０ａが設けられている。また、ヒンジ部材２０の他端部は、図５に示すように、ヒンジ部材２０の外形よりわずかに大きい寸法で筐体１０の後端両側部近傍部位に形成された嵌入孔１０ａに嵌入される嵌入部２０ｂとされている。ヒンジ部材２０は、例えばＰＯＭ（ポリオキシメチレン）等の樹脂製であり、リッド１１が開閉されるときに変形しにくいように構成されている。
【００１６】
本実施形態において、リッド１１の各ヒンジ部材２０が配置される部位には、それぞれ、図４に示すように、ヒンジ部材２０の回動軸２０ａ近傍部位の幅寸法より大きい幅寸法を有する保持溝部１１ｂが形成されている。そして、ヒンジ部材２０は、その保持溝部１１ｂ両側面に形成された軸孔１１ｃに回動軸２０ａが嵌め込まれ、リッド１１を回動自在に軸支するように、リッド１１に装着されている。このとき、ヒンジ部材２０は、その回動軸２０ａ近傍部位が、そのヒンジ部材２０の長手方向に沿って、保持溝部１１ｂ内に挟まれるようにして配置されている。また、ヒンジ部材２０は、嵌入部２０ｂから嵌入孔１０ａに嵌入されて、嵌入孔１０ａに緩嵌されており、筐体１０に対し上下方向に摺動可能に取り付けられている。このように、ヒンジ部材２０がリッド１１に回動自在に装着され、ヒンジ部材２０が筐体１０に上下方向に摺動可能に配置されていることにより、リッド１１は、筐体１０に対し回動自在且つ上下方向に変位可能に取り付けられている。これにより、リッド１１を閉状態にするときに原稿の厚みに応じてリッド１１が上下し、種々の厚みの原稿を原稿台３ａに押さえつけることができるように構成されている。
【００１７】
ここで、リッド１１は、上述のように、閉状態であるときには、筐体１０に対し上下方向に容易に変位可能に取り付けられているが、開状態であるときには、筐体１０に対するがたつき量が少なくなるように構成されている。リッド１１の各保持溝部１１ｂのうち片側の内側面には、それぞれ、図４に示すように、突起部１１ｄが突設されている。この突起部１１ｄは、保持溝部１１ｂのうち軸孔１１ｃよりもリッド１１後端側に形成されている。突起部１１ｄは、図４に示すようにリッド１１が閉状態であるときには、ヒンジ部材２０に当接せず、図５に示すようにリッド１１が開状態になるときには、ヒンジ部材２０に当接するように配置されている。この突起部１１ｄが設けられていることにより、リッド１１の開閉時には、突起部１１ｄがヒンジ部材２０に当接し、図５の矢印Ｓで示すように、ヒンジ部材２０が保持溝部１１ｂのうち突起部１１ｄが設けられていない方の内側面側にスライドした状態で保持され、ヒンジ部材２０とリッド１１との間でがたつきが生じる原因となる遊びが小さくなるように構成されている。
【００１８】
図６は、リッド１１の筐体１０への取り付け部を示す。本実施形態において、突起部１１ｄは、２組の保持溝部１１ｂそれぞれの内面のうち、筐体１０の側方側の側面に形成されている。そして、リッド１１の開閉時には、２つのヒンジ部材２０が、図の矢印Ｓ１，Ｓ２で示すように、共に筐体１０の中央側に向けてスライドした状態で保持される。従って、リッド１１の開閉時において、２つのヒンジ部材２０同士が筐体１０の中央側に近づいた状態になり、筐体１０がヒンジ部材２０により挟まれ、２つのヒンジ部材２０と筐体１０との間でがたつきが生じる原因となる遊びが少なくなる。
【００１９】
このように、本実施形態においては、リッド１１の開閉時に、ヒンジ部材２０とリッド１１との間のがたつきが小さくなり、また、２つのヒンジ部材２０と筐体１０との間のがたつきも小さくなる。従って、保持溝部１１ｂに突起部１１ｄを設けた構造が簡単で低コストな構成により、リッド１１の筐体１０に対するがたつき量を、リッド１１が閉状態の時よりも減少させることができる。リッド１１の開閉時に、リッド１１の操作感触が良好になるので、画像形成装置１の商品価値を向上させることができる。なお、リッド１１を上述のような開状態から閉状態に回動させたときには、突起部１１ｄがヒンジ部材２０から離れ、ヒンジ部材２０は、リッド１１及び筐体１０に対して遊びを有する状態に戻るので、種々の厚みの原稿に対応可能である。
【００２０】
なお、本発明は、上記実施形態の構成に限定されるものではなく、発明の趣旨を変更しない範囲で適宜に種々の変形が可能である。例えば、突起部は、各保持溝部のうち筐体の中央側の内側面に形成されていてもよく、この場合には、リッドの開閉時に、各ヒンジ部材が筐体の側方側に変位するので、リッドの筐体に対するがたつきを小さくすることができる。すなわち、突起部は、２つの保持溝部のそれぞれの内面のうち、当該保持溝部とは別の保持溝部に近い方の内側面か、当該保持溝部とは別の保持溝部から遠い方の内側面に設けられていればよく、リッドの開閉時に、各ヒンジ部材が他方のヒンジ部材から離れた状態又は他方のヒンジに近づいた状態になり、リッドの筐体に対するがたつきを小さくすることができる。
【００２１】
また、突起部は、上述のように２組のヒンジ部材を互いに近づいた状態にしたり互いに離れた状態にするように設けられていなくてもよく、突起部によりヒンジ部材と保持溝部との間の遊びが少なくなるように構成されていることにより、リッドの筐体に対するがたつきを小さくすることができる。そしてまた、本発明は、画像形成機能を有さないスキャナ装置にも適用可能なものであり、リッドがヒンジ部材により筐体に装着されているスキャナ装置において、リッドの保持溝部に上述のように突起部を設けることにより、リッド開閉時にリッドの筐体に対するがたつき量を少なくし、リッドの操作感触を良好に構成することができる。
【図面の簡単な説明】
【００２２】
【図１】本発明の一実施形態に係る画像形成装置の一例を示す斜視図。
【図２】上記装置のスキャナリッドが開状態であるときのスキャナ部を示す斜視図。
【図３】上記スキャナリッドが開状態であるときのスキャナ部を示す側面図。
【図４】上記スキャナリッドが閉状態であるときのスキャナリッドの筐体への取り付け部を示す斜視図。
【図５】上記スキャナリッドが開状態であるときのスキャナリッドの筐体への取り付け部を示す斜視断面図。
【図６】上記スキャナリッドが開状態であるときのスキャナリッドの筐体への取り付け部を示す側断面図。
【符号の説明】
【００２３】
１  画像形成装置
２  画像形成部
３  スキャナ部（スキャナ装置）
３ａ  原稿台
１０  筐体
１０ａ  嵌入孔
１１  スキャナリッド
１１ｂ  保持溝部
１１ｄ  突起部
２０  ヒンジ部材
２０ａ  回動軸
【図１】
2008099161.tif 000003
【図２】
2008099161.tif 000004
【図３】
2008099161.tif 000005
【図４】
2008099161.tif 000006
【図５】
2008099161.tif 000007
【図６】
2008099161.tif 000008